(57)【要約】【課題】撮影した画像を確認してピントの再調整をするような手間や失敗の発生を低減し、撮影作業の効率を向上させることを可能とする。【解決手段】撮影の前にレンズにより結像された被写体像を撮像して画像を取得する撮像手段と、前記画像を表示手段に表示するよう制御する制御手段とを有する撮像装置の制御方法であって、画像に施す画像鮮明化のためのシャープネス処理の度合いを、画像の出力先である表示手段に応じて変更するよう制御することを特徴とする。【選択図】図７
2008193594.tif 000002
【特許請求の範囲】
【請求項１】
撮影前に撮像画像を表示手段に表示することができる撮影装置であって、
レンズにより結像された被写体像を撮像して画像を取得する撮像手段と、
前記画像を表示手段に表示するよう制御する制御手段とを有し、
前記制御手段は、撮影の前に前記表示手段に応じて前記画像に施されるシャープネス処理を変更して画像を表示するよう制御することを特徴とする撮像装置。
【請求項２】
前記制御手段は、前記表示手段の各々の解像度に対応してシャープネス処理の度合いを変更することを特徴とする請求項１記載の撮像装置。
【請求項３】
前記表示手段は、前記撮像装置に内蔵された表示手段、前記撮像装置に対して画像を受信可能に接続された情報処理装置の表示手段、前記撮像装置に対して画像を受信可能に接続されたテレビジョン受像機のいずれかを含むことを特徴とする請求項１又は２記載の撮像装置。
【請求項４】
前記撮像装置は、画像の出力先である表示手段に応じたシャープネス処理を画像に施す画像処理手段を備えることを特徴とする請求項１乃至３のいずれか１項記載の撮像装置。
【請求項５】
前記画像処理手段は、前記情報処理装置から指定された度合いのシャープネス処理を画像に施すことを特徴とする請求項４記載の撮像装置。
【請求項６】
前記撮像装置の前記画像処理手段は、画像の出力先が前記撮像装置に内蔵された表示手段の場合は第１の度合いのシャープネス処理を画像に施し、画像の出力先が前記情報処理装置の表示手段の場合は前記第１の度合いよりも小さい前記情報処理装置により指定された度合いのシャープネス処理を画像に施すことを特徴とする請求項４又は５記載の撮像装置。
【請求項７】
撮影の前において、レンズにより結像された被写体像を撮像して画像を取得する撮像手段と、前記画像を表示手段に表示するよう制御する制御手段とを有する撮像装置の制御方法であって、
画像に施す画像鮮明化のためのシャープネス処理の度合いを、画像の出力先である表示手段に応じて変更するよう制御することを特徴とする制御方法。
【発明の詳細な説明】
【技術分野】
【０００１】
本発明は、ライブビュー画像を確認しながら構図確認やフォーカス調整を行う場合に好適な撮像装置及びその制御方法に関する。
【背景技術】
【０００２】
従来、写真スタジオ等においてライブビュー画像を確認しながら構図確認やフォーカス調整を行うことができる撮影装置（デジタルカメラ）がある。この種の撮影装置には、ファインダを透過した光学像を撮像素子（ＣＣＤ）に結像させ光電変換することで撮像した画像を撮影装置のモニタに表示したり、ライブビュー画像をビデオ出力端子経由でテレビモニタに出力して確認したりするものがある。この種の技術分野に関する先行技術としては各種技術が提案されている（例えば、特許文献１参照）。
【特許文献１】特開２００５−２９５４７６号公報
【発明の開示】
【発明が解決しようとする課題】
【０００３】
上記従来技術（特許文献１）に開示されているようなライブビュー画像を見ながら撮影を行うライブビュー撮影では、撮影装置のファインダを透過した光学像を撮像素子に結像させて取得された画像をモニタすることでピントの確認を行っていた。
【０００４】
しかし、ピント確認を行う際のライブビュー画像生成に関して以下のような問題があった。即ち、ライブビュー撮影において、ピント確認の際にカメラのモニタでピントの山を確認する場合に適したライブビュー画像の生成がある。一方で、カメラとビデオ出力端子経由でテレビモニタ（もしくはケーブルを介してパーソナルコンピュータ）に接続しライブビュー撮影を行った場合のピント確認に適したライブビュー画像の生成がある。この両者が異なるため、どちらの操作においても最適な操作性を提供することが困難であった。
【０００５】
本発明の目的は、撮影した画像を確認してピントの再調整をするような手間や失敗の発生を低減し、撮影作業の効率を向上させることを可能とした撮像装置及びその制御方法を提供することにある。
【課題を解決するための手段】
【０００６】
上述の目的を達成するために、本発明の技術的特徴としては、レンズにより結像された被写体像を撮像して画像を取得する撮像手段と、前記画像を表示手段に表示するよう制御する制御手段とを有する撮像装置の制御方法であって、画像に施す画像鮮明化のためのシャープネス処理の度合いを、画像の出力先である表示手段に応じて変更するよう制御することを特徴とする。
【発明の効果】
【０００７】
本発明によれば、撮像装置で撮像した画像を直接確認しながら構図やピント合わせをすることが可能になるので、撮影準備の時点で構図の確認や厳密なピント合わせを行うことができる。これにより、撮影した画像を確認してピントの再調整をするような手間や失敗の発生を低減することが可能となり、撮影作業の効率を向上させることが可能となる。
【発明を実施するための最良の形態】
【０００８】
以下、本発明の実施の形態を図面に基づいて説明する。
【０００９】
図１は、本発明の実施の形態に係るスタジオ撮影システムの構成例を示す図である。
【００１０】
図１において、スタジオ撮影システムは、デジタル一眼レフカメラ（以下デジタルカメラ）１０１、ストロボ装置１０２、情報処理装置であるパーソナルコンピュータ（ＰＣ）１０３、モニタ装置１０４、プリンタ１０５を備える。デジタルカメラ１０１とストロボ装置１０２は、公知のシンクロコード１０６により接続されている。デジタルカメラ１０１とＰＣ１０３は、公知のＵＳＢ（Universal Serial Bus）コード１０７により接続されており、画像が受信可能になっている。ＰＣ１０３とプリンタ１０５は、公知のＵＳＢコード１０８により接続されている。
【００１１】
デジタルカメラ１０１は、撮影台（三脚）１０９の上部に設置されており、図２に示す構成を有する。ストロボ装置１０２は、被写体の照明を行う。ＰＣ１０３は、デジタルカメラ１０１で撮影された画像を取り込む機能、撮影台１０９を遠隔操作する機能、プリンタ１０５を制御する機能を有し、ＣＰＵ、ＲＯＭ、ＲＡＭ、ハードディスク（以上不図示）等を備える。モニタ装置１０４は、ＰＣ１０３に接続されており、全画面表示画面（図５）、拡大表示画面（図６）を含む各種画面を表示する。プリンタ１０５は、ＰＣ１０３から送信されるデジタルカメラ１０１で撮像された画像データに基づき、撮影画像の印刷を行う。
【００１２】
本実施の形態は以下の特徴を有する。撮影者が撮影前にライブビュー画像を確認して、撮影を行う際、デジタルカメラ１０１で生成するライブビュー画像に施すシャープネス処理（以下シャープネス）の度合いを、ライブビュー画像の表示出力先に応じて変更することが可能である。ここでいうシャープネス処理とは、画像に施す画像鮮明化のための処理であり、複数用意したバンドパスフィルタの周波数特性及びゲインを変更するなどして画像に処理を施すものである。
【００１３】
ＰＣ１０３は、ライブビュー画像に施すシャープネスの度合いをデジタルカメラ１０１に指定可能である。また、ＰＣ１０３は、ライブビュー画像の表示出力先の解像度に応じて、ライブビュー画像に施すシャープネスの度合いをデジタルカメラ１０１に指定可能である。デジタルカメラ１０１は、ライブビュー画像の表示出力先に応じて、ライブビュー画像にシャープネスを施す。ライブビュー画像の表示出力先は、デジタルカメラ１０１の液晶表示部、ＰＣ１０３のモニタ装置１０４、テレビモニタ等から選択される。
【００１４】
図２は、デジタルカメラ１０１の構成例を示すブロック図である。
【００１５】
図２において、撮影レンズ１、３は、説明の便宜上２枚のレンズで図示しているが、実際は更に多数枚のレンズから構成されている。絞り２は、撮影レンズ１、３を通過した光量を調整する。主ミラー４は、ファインダ系による被写体像の観察状態に応じて撮影光路に対して傾斜状態或いは退避状態に設定される。サブミラー５は、主ミラー４を通過した光束をカメラ筐体の下方に位置する焦点検出のためのレンズ系１１及びラインセンサ１２へ向けて反射する。
【００１６】
撮像素子７は、ＣＣＤ型撮像素子或いはＭＯＳ型撮像素子として構成されている。液晶表示部８は、ファインダ内に内蔵され、撮影レンズ１、３の予定結像面に配置されたピント版及び測距枠のマーク等を表示する。ペンタプリズム９は、ファインダ光路変更用のプリズムである。撮像レンズ１０は、接眼レンズでありこれを介して撮影者は被写体を観察することができる。レンズ系１１は、焦点検出用のレンズである。ラインセンサ１２は、焦点検出を行う。  焦点調節回路１３は、撮影レンズ１、３内に配置され、焦点調節を行う。Ａ／Ｄ変換回路２８は、ファインダ光路系の上部に配置された測光回路とその出力をＡ／Ｄ変換する。絞り駆動回路１４は、撮影レンズ１、３内に配置され、絞り２を駆動する。ミラー駆動回路１５は、主ミラー４を駆動する。ラインセンサ駆動回路１６は、ラインセンサ１２を駆動する。シャッタ駆動回路１７は、シャッタ６を駆動する。撮像素子駆動回路１８は、撮像素子７を駆動する。Ａ／Ｄ変換回路１９は、撮像素子７から出力されるアナログ撮影信号をデジタル撮影信号に変換する。信号処理回路２０は、デジタル撮影信号に対して信号処理を施す。
【００１７】
ＲＡＭ２１は、デジタル画像信号等を一時的に保存する。ＲＯＭ２２は、デジタルカメラを制御するための制御プログラム等を格納している。コンパクトフラッシュ（登録商標）（ＣＦ）２３は、デジタル画像信号を最終的に記録する記録媒体である。ＣＰＵ２４は、デジタルカメラ各部の制御を司る中央演算処理装置である。また、ＣＰＵ２４は、制御プログラムに基づき後述の図７のフローチャートに示す処理を実行する。液晶表示部（ＬＣＤ）２５は、撮像したデジタル画像信号に対応する撮影画像を表示する。
【００１８】
スイッチ入力部２６は、シャッタボタン３７（図３）で操作されるレリーズスイッチ（以下レリーズＳＷ）、各種機能ボタン３１〜３３、ダイヤル３４、３８、電源スイッチ３５等の各種ボタンの操作に連動する入力を行う。スイッチ入力部２６は、撮影者により該当ボタンが操作されると対応する信号をＣＰＵ２４に送出する。
【００１９】
レリーズＳＷは、少なくとも２つ以上の接点を有するスイッチから構成され、例えば、押下される量に応じて状態が２段階に切り替わる構造となっている。レリーズＳＷを途中まで押下した場合には第１の接点（以下ＳＷ１）が選択され、最後まで押下した場合には第２の接点（以下ＳＷ２）が選択される。ＳＷ１が選択された場合にはＡＦ（自動焦点）やＡＥ（自動露出）等の撮影準備動作を行い、ＳＷ２が選択された場合には撮影動作及びデジタル画像信号の作成動作及び記録動作を行う。
【００２０】
Ｉ／Ｏポート２７は、ＵＳＢコード１０７を介してデジタルカメラ１０１とＰＣ１０３との接続を可能とする。これにより、ＰＣ１０３によりデジタルカメラ１０１の制御を可能としている。
【００２１】
図３は、デジタルカメラ１０１の背面側の外観を示す図である。
【００２２】
図３において、デジタルカメラ１０１の筐体の上面部には、機能選択用の機能ボタン３１〜３３、選択メインダイヤル３４、シャッタボタン３７等が配設されている。また、筐体の背面部には、選択サブダイヤル３８、撮影画像の確認用及び機能メニュー表示用の液晶表示部４０（図２の液晶表示部２５に相当）が配設されている。また、筐体の側面部には、液晶表示部４０の表示画像を出力するビデオ出力端子４１が配設されている。また、筐体の前面部（不図示）には、撮像レンズ、画像出力端子等が配設されている。
【００２３】
撮影者による上記シャッタボタン３７で操作されるレリーズＳＷ、各種機能ボタン３１〜３３、ダイヤル３４、３８、電源スイッチ３５等の各種ボタンの操作に伴う各モードヘの分岐や機能の実行は、以下のように行われる。即ち、スイッチ入力部２６からＣＰＵ２４に送られる状態信号を判別し、当該状態信号に対応するモード処理用回路或いはプログラムに分岐するモード判定モジュール（本実施の形態ではプログラムで構成）により行われる。
【００２４】
次に、上記構成を有する本実施の形態に係るスタジオ撮影システムの撮影動作について説明する。
【００２５】
デジタルカメラ１０１では、フイルムカメラと同様にピント版に結像した画像をファインダで確認する従来通りのピント確認の他に、撮像素子７に結像した画像をリアルタイムに液晶表示部４０で確認しながら構図確認やピント合わせを行う撮影方法がある。以後、この撮影方法をライブビュー撮影と呼ぶこととする。
【００２６】
デジタルカメラ１０１でライブビュー撮影を行う場合には、デジタルカメラ１０１の撮像素子７で受光した画像を液晶表示部４０にリアルタイムで表示する。これにより、撮影者は画像全体の構図や色合等を見た状況に基づいてデジタルカメラ１０１を移動させることで、アングル調整を行うことができる。
【００２７】
また、デジタルカメラ１０１の液晶表示部４０に表示される画像は拡大することが可能で、且つ、拡大する位置を移動することが可能である。ライブビュー撮影でのピント合わせは、ピントを合わせたい部分を液晶表示部４０に拡大表示すると共に表示画像を確認しながらオートフォーカスやマニュアルフォーカスにより行う。この場合、表示面積が小さい液晶表示部４０においてピントの山が分かりやすいように表示する画像については、画像にシャープネスを施すことでピント合わせを行いやすいようにしている。
【００２８】
また、図４に示すようにデジタルカメラ１０１をビデオ出力端子４１を介してコード１１１によりテレビモニタ（テレビジョン受像機）１１０に接続することも可能である。このテレビモニタ１１０をデジタルカメラ１０１に接続すれば画像を受信可能となる。これにより、デジタルカメラ１０１の液晶表示部４０に表示される画像をテレビモニタ１１０に拡大表示することで、撮影者が拡大画像を確認しながら撮影を行うこともできる。
【００２９】
一方、ライブビュー撮影は、デジタルカメラ１０１単体での撮影のみでなく、デジタルカメラ１０１に対しＵＳＢコード１０７で接続されたＰＣ１０３からの遠隔操作により行うこともできる。この場合、デジタルカメラ１０１は撮像素子７に結像した画像を逐次ＰＣ１０３に送信し、ＰＣ１０３はモニタ装置１０４に画像をリアルタイムに表示する。これにより、デジタルカメラ１０１の遠隔操作でも、撮像素子７に結像した画像（ライブビュー画像）をモニタ装置１０４で確認しながら構図確認やピント合わせを行うことができる。
【００３０】
図５は、ＰＣ１０３を利用したライブビュー撮影の全画面表示画面を示す図である。また、図６は、ＰＣ１０３を利用したライブビュー撮影の拡大表示画面を示す図である。
【００３１】
図５及び図６において、全画面表示画面４５と拡大表示画面６０は、ＰＣ１０３においてライブビュー撮影で使用するアプリケーションプログラム（制御プログラム）により表示されるユーザインタフェース画面の例である。本実施の形態では、ＰＣ１０３のモニタ装置１０４に、全画面表示画面４５と拡大表示画面６０の２種類のユーザインタフェース画面を表示する場合を例に挙げ説明する。
【００３２】
先ず、全画面表示画面４５について説明する。全画面表示画面４５には、撮影した画像の全面の画像を画面に合わせて表示するための全画像表示部５５が設けられている。ＰＣ１０３ではデジタルカメラ１０１から随時取得した画像を描画更新することで、撮影した画像をモニタ装置１０４にライブ表示する。これにより、撮影者は画像全体の構図や色合等を確認することができる。また、デジタルカメラ１０１と撮影台１０９との間に電動雲台（不図示）を設置することにより、遠隔操作によりアングル調整を行うように構成することもできる。
【００３３】
また、全画面表示画面４５の全画像表示部５５には、拡大枠５７が設けられている。拡大枠５７により、画像において拡大表示する領域を示すことができる。また、マウスのドラッグ操作などで拡大枠５７を移動することにより、拡大枠５７の位置やサイズを変更することができる。拡大枠５７は、デジタルカメラ１０１で被写体をオートフォーカスする際のポイントとしての位置も兼ねている。
【００３４】
また、全画面表示画面４５には、遠隔操作によるフォーカス制御を指示するオートフォーカスボタン４１、マニュアル操作でのピント合わせを指示するマニュアルフォーカスボタン５０〜５３が設けられている。マニュアルフォーカスボタン５０は、近方向への粗い駆動を指示する粗駆動ボタンである。マニュアルフォーカスボタン５１は、近方向への微小な駆動を指示する微駆動ボタンである。マニュアルフォーカスボタン５２は、遠方向への微小な駆動を指示する微駆動ボタンである。マニュアルフォーカスボタン５３は、遠方向への粗い駆動を指示する粗駆動ボタンである。
【００３５】
オートフォーカスボタン４１が押下されると、拡大枠５７の中心近傍でピントが合うように自動的にフォーカス調整が行われる。マニュアルフォーカスボタン５０、５１、５２、５３は、オートフォーカスボタン４１でフォーカス調整した後の微調整を行う目的で設けられており、それぞれのボタン押下で各規定量だけフォーカス微調整を行うことができる。
【００３６】
また、全画面表示画面４５には、全画面表示画面４５を拡大表示画面６０に切り替えるための拡大画面切り替えボタン５６が設けられている。拡大画面切り替えボタン５６が押下されると、全画面表示画面４５から拡大表示画面６０に表示を切り替えるべくＰＣ１０３からデジタルカメラ１０１に対して拡大画像を要求するように状態が切り替わる。
【００３７】
次に、拡大表示画面６０について説明する。拡大表示画面６０には、全画面表示画面４５の拡大枠５７の画像を撮像素子７のピクセルと等倍（ピクセル等倍）である高解像度でライブビュー画像として表示する拡大画像表示部６５が設けられている。ＰＣ１０３ではデジタルカメラ１０１から随時取得した画像を描画更新することで、拡大画像をモニタ装置１０４にライブ表示する。なお、拡大画像表示部６５に表示する画像の表示倍率を切り替える機能を設けてもよい。
【００３８】
拡大画像表示部６５の周辺には、画像の拡大位置の移動を指示するボタン６１、６２、６３、６４が設けられている。ボタン６１〜６４の押下により、それぞれ、上、左、右、下に拡大位置を移動することができる。また、拡大表示画面６０には、全画面表示画面４５と同様に、フォーカス制御のためのオートフォーカスボタン４１、マニュアルフォーカスボタン５０、５１、５２、５３が設けられている。
【００３９】
また、拡大表示画面６０には、拡大表示画面６０を全画面表示画面４５に切り替えるための全画面切り替えボタン６６が設けられている。全画面切り替えボタン６６が押下されると、拡大表示画面６０から全画面表示画面４５に表示を切り替えるべくＰＣ１０３からデジタルカメラ１０１に対して全画像を要求するように状態が切り替わる。
【００４０】
拡大表示画面６０は、主にフォーカス確認を行うための画面である。撮像素子７に結像した画像をそのままＰＣ１０３の高解像度なモニタ装置１０４に拡大表示画面６０の拡大画像として表示することで、微妙なピントのずれも確認し補正することができる。ところが、通常、デジタルカメラ１０１で生成されるライブビュー画像としては、先に述べたように液晶表示部４０に表示してピントの山が分かりやすいようにシャープネスをかけた画像が生成される。
【００４１】
このようなシャープネスがかかった画像をピクセル等倍でモニタ装置１０４に表示した場合には、微妙なピントのずれがシャープネスで鮮明に表示されてしまう。そのため、ピントが完全に合ったジャスト位置を探すのには難しく、大まかなピント合わせとなってしまうことが多い。そこで、デジタルカメラ１０１でライブビュー撮影してＰＣ１０３に送信する拡大画面は、シャープネスをかけないか又は弱くするようにデジタルカメラ１０１で実行する画像処理を切り替える。
【００４２】
拡大表示画面６０の表示制御を行う制御プログラムは、ＰＣ１０３に接続されているモニタ装置１０４の解像度を認識し、その解像度に応じてデジタルカメラ側で生成するシャープネスのかけ具合について画像処理を切り替える機能を有する。
【００４３】
例えば、ＰＣ１０３がノートパソコンであった場合には、モニタ装置１０４のグラフィックスの規格はＸＧＡ（Extended Graphics Array）（解像度：１０２４×７６８ドット）程度が一般的である。そのため、モニタ装置１０４に画像を撮像素子のピクセルと等倍で表示すると、画面いっぱいに画像が表示されてしまい、画面上の各種ボタンを表示する他の部分を同時に使用することができなくなることが考えられる。このような環境下では、ピクセル等倍とした画像よりも、縮小した画像に対して若干シャープネスをかけた画像をデジタルカメラ側で生成する方がピント合わせが行いやすい場合も考えられる。
【００４４】
一方、大画面モニタやマルチディスプレイなど十分な高解像度の画面を備えた環境下では、画像に対してシャープネスはかけないで撮像素子７に結像した画像をそのままピクセル等倍で表示する方がピントの確認がしやすい場合も考えられる。このように、制御プログラムは、ＰＣ１０３の環境に応じてデジタルカメラ１０１に対してライブビュー撮影で生成する画像に施す画像処理を切り替える制御を行う。
【００４５】
図７は、デジタルカメラ１０１のライブビュー画像生成処理を示すフローチャートである。
【００４６】
図７において、デジタルカメラ１０１のＣＰＵ２４は、ライブビュー撮影で生成するライブビュー画像を、どの出力先（デジタルカメラ１０１の液晶表示部４０、ＰＣ１０３のモニタ装置１０４）に表示出力するかを判断する（ステップＳ１）。ライブビュー画像の出力先がデジタルカメラ１０１の液晶表示部４０の場合には、ＣＰＵ２４は、信号処理部２０により、液晶表示部４０でピントの山が確認しやすいシャープネスを施した画像を生成する（ステップＳ２）。この後、ＣＰＵ２４は、生成した画像を液晶表示部４０に表示する（ステップＳ３）。
【００４７】
一方、ライブビュー画像の出力先がＰＣ１０３のモニタ装置１０４の場合には、ＣＰＵ２４は、信号処理部２０により、ＰＣ１０３が要求するシャープネスを施した画像を生成する（ステップＳ４）。この場合、生成する画像に施すシャープネスの度合いは、ＰＣ１０３から指定する指定値としてもよいし、予め設定された固定値としてもよい。この後、ＣＰＵ２４は、生成した画像をＩ／Ｏポート２７を介してＰＣ１０３へ転送する（ステップＳ５）。
【００４８】
上述したライブビュー撮影で生成する画像に施すシャープネスの度合いについては、デジタルカメラ側で画像出力対象のモニタ装置に応じて自動的に切り替えるようにしてもよい。例えば、図４で説明したようなＮＴＳＣ方式のテレビモニタ（テレビジョン受像機）に画像を出力する場合は、テレビモニタは画面が大きく表示できても解像度が低いためシャープネスを強めにした方がピントの山がつかみやすい。
【００４９】
一方、デジタルカメラ１０１の出力端子に接続されるモニタ装置がＨＤＭＩ等のハイビジョンモニタ装置の場合は、解像度が高い。そのため、微妙なピント合わせも確認できるようにシャープネスを弱めるか又はシャープネスを施さない等、デジタルカメラ側で自動的に又は予め決められた設定に従って画像処理を切り替えるようにしてもよい。このようにしてデジタルカメラの出力端子に応じて適切なシャープネスを自動的に施すようにしてもよい。
【００５０】
また、ＰＣ１０３において、ライブビュー画像の表示出力先（デジタルカメラ１の液晶表示部４０、ＰＣ１０３のモニタ装置１０４等）の解像度に応じて、ライブビュー画像に施すシャープネスの度合いをデジタルカメラ１０１に指定してもよい。
【００５１】
このような出力先の解像度の判断は、カメラの出力端子に応じて判断する方法のほか、表示モニタ部から解像度に関する情報を予め取得して判断する方法を用いてもよい。
【００５２】
撮影者が撮影準備を完了し、デジタルカメラ１０１のシャッタボタン３７を全押しするか、ＰＣ１０３によるリモートレリーズボタン（不図示）を押下することにより、デジタルカメラ１０１はレリーズ動作に入る。この場合の撮影については、既にフォーカス調整は行われているので、シャッタボタン３７又はリモートレリーズボタンが押されたタイミングでフォーカスの自動調整は行われない。
【００５３】
デジタルカメラ１０１で撮影された画像はファイルとして生成され、デジタルカメラ１０１の記録媒体に保存されるか、或いはＰＣ１０３に送信されハードディスク等の記憶装置に保存される。また、必要に応じてプリンタ１０５で撮影画像の印刷を行う。これにより、撮影及び撮影関連処理が完了する。
【００５４】
以上説明したように、本実施の形態によれば、デジタルカメラの撮像素子７に結像した画像を直接確認しながら構図やピント合わせをすることが可能になるので、撮影準備の時点で構図の確認や厳密なピント合わせを行うことができる。これにより、撮影した画像を確認してピントの再調整をするような手間や失敗の発生を低減することが可能となり、撮影作業の効率を向上させることが可能となる。
【００５５】
［他の実施の形態］
上記実施の形態では、スタジオ撮影システムにおけるライブビュー撮影を例に挙げたが、これに限定されるものではない。スタジオ撮影システム以外におけるライブビュー撮影にも勿論適用することが可能である。
【００５６】
また、本発明の目的は、以下の処理を実行することにより達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００５７】
この場合、記憶媒体から読み出されたプログラムコード自体が前述した実施の形態の機能を実現することになり、そのプログラムコード及び該プログラムコードを記憶した記憶媒体は本発明を構成することになる。
【００５８】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００５９】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理により前述した実施形態の機能が実現される場合も含まれる。
【００６０】
更に、前述した実施形態の機能が以下の処理により実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００６１】
【図１】本発明の実施の形態に係るスタジオ撮影システムの構成例を示す図である。
【図２】デジタルカメラの構成例を示すブロック図である。
【図３】デジタルカメラの背面側の外観を示す図である。
【図４】デジタルカメラとテレビモニタを接続してライブビュー撮影を行う例を示す図である。
【図５】ＰＣを利用したライブビュー撮影の全画面表示画面を示す図である。
【図６】ＰＣを利用したライブビュー撮影の拡大表示画面を示す図である。
【図７】デジタルカメラのライブビュー画像生成処理を示すフローチャートである。
【符号の説明】
【００６２】
２０  信号処理回路（画像処理手段）
２４  ＣＰＵ（画像処理手段）
４０  液晶表示部（表示手段）
１０１  デジタルカメラ（撮像装置）
１０３  ＰＣ（情報処理装置、指定手段）
１０４  モニタ装置（表示手段）
【図１】
2008193594.tif 000003
【図２】
2008193594.tif 000004
【図３】
2008193594.tif 000005
【図４】
2008193594.tif 000006
【図５】
2008193594.tif 000007
【図６】
2008193594.tif 000008
【図７】
2008193594.tif 000009